(57)【特許請求の範囲】
【請求項１】
透液性表面シートと裏面シートとの間に吸収体が介在された本体部分の両側部に、左右一対で配置されたウイング状フラップが、本体部分の長手方向に沿って少なくとも３組以上配置されるとともに、これらウイング状フラップの内、少なくとも最後部に位置する左右一対のウイング状フラップには吸収体が介在されたヒップホールド用ウイング状フラップとされ、かつ前記本体部分の長手方向に隣接する各ウイング状フラップ間は、ミシン目によって分割可能とされており、
使用前の製品状態で、各ウイング状フラップは、基端部で前記裏面シート側に折り畳まれるとともに、この折り畳まれた内の先端側部分がさらに反対側に折り返され、かつこれら各折り畳み部分が仮止めされることにより前記本体部分に固定されることにより、前記ウイング状フラップのすべてが裏面シート側に折り畳まれているとともに、前記折り畳み部分の最外面となる裏面シート部分にズレ止め粘着剤層が形成されており、
使用時に下着への固定位置に応じて、適合する位置の任意の前記ウイング状フラップをミシン目から引き裂いて分割して拡げ、下着のクロッチ部分に巻き込ませて固定可能とされ、前記ヒップホールド用ウイング状フラップをミシン目から引き裂いて分割して拡げ、下着に固定可能とされていることを特徴とする吸収性物品。
【請求項２】
前記ウイング状フラップのうち、最後部に位置する左右一対のウイング状フラップは、他のウイング状フラップよりも大きく形成されている請求項１記載の吸収性物品。
【請求項３】
前記本体部分は、全長に亘って略同幅で形成されている請求項１〜２いずれかに記載の吸収性物品。
【請求項４】
前記ウイング状フラップの基端部には、本体部分の長手方向に沿ってエンボス線が施してある請求項１〜３いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に関する。
【背景技術】
【０００２】
従来より、パンティーライナー、生理用ナプキン、失禁パッドなどの吸収性物品としては、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ種々の工夫が成されている。例えば、図１３及び図１４に示される吸収性物品５０では、ポリエチレンシートなどからなる不透液性バックシート５２と、経血等を速やかに透過させる透液性トップシート５３と、これら両シート５２，５３間に介装された綿状パルプまたは合成パルプなどからなる吸収体５４とから主に構成され、前記吸収体５４の周囲においては、その前後端縁部では前記不透液性バックシート５２と透液性トップシート５３との外縁部がホットメルトなどの接着剤やヒートシール等の接着手段によって接合され、またその両側部（サイドフラップ部分）においては、吸収体５４よりも側方に延出している前記不透液性バックシート５２とサイド不織布５５とがホットメルトなどの接着剤やヒートシール等の接着手段によって接合され、これら不透液性バックシート５２とサイド不織布５５とによる積層シート部分によって側方に突出するウイング状フラップＷ、Ｗが形成されているとともに、これよりも後側部分にヒップホールド用フラップＨＦ、ＨＦが形成された構造となっている。前記ウイング状フラップＷ、Ｗは該生理用ナプキン５０をショーツにきっちりと固定するためのものであり、前記ヒップホールド用フラップＨＦ、ＨＦは臀部側において生理用ナプキン５０の横ズレと体液漏れを防止するためのものである。
【０００４】
前記ウイング状フラップＷ、Ｗおよびヒップホールド用フラップＨＦ、ＨＦの裏面側にはそれぞれ粘着剤層５７…、５８…が設けられ、前記生理用ナプキン５０を下着３０に装着するには、図１５に示されるように、生理用ナプキン５０を局所にあてがい、側方に突出する前記ウイング状フラップＷ、Ｗを下着３０より外に出し、ウイング状フラップＷ基端の折返し線ＲＬ、ＲＬにて折返し、下着３０のクロッチ部分を巻き込むようにしながら下着３０の股間部外面に貼着するようにする。
【０００５】
このような吸収性物品において、下記特許文献１では、前記ウイング状フラップＷ、Ｗを、使用目的に応じて所定の位置に設けるようにしたものが提案されている。具体的には、図１７に示されるように、夜用生理用ナプキンに係る本構造の前漏れ防止効果の高い吸収性物品６０として、ウイング状フラップＷの中心より腹側前端部までの長さＦＬよりもウイング状フラップ中心より背側後端部までの長さＢＬを長くしたもの、及び図１８に示されるように、昼用生理用ナプキンに係る本構造の前漏れ防止効果の高い吸収性物品６１として、ウイング状フラップＷの中心より腹側前端部までの長さＦＬをウイング状フラップ中心より背側後端部までの長さＢＬよりも長くしたものが開示されている。
【特許文献１】特開２００１−２７６１２３号公報
【発明の開示】
【発明が解決しようとする課題】
【０００６】
しかしながら、上記特許文献１記載の発明では、夜用および昼用などの使用目的に応じて、図１７及び図１８に示されるように、それぞれウイング状フラップの位置を前寄りあるいは後寄りとした種々のタイプの製品を製作しなければならず製造コストが嵩む原因になるとともに、使用者にとっても使用状況に応じた製品を選択する手間とコストがかかっていた。
【０００７】
また、前述の通り、ウイング状フラップＷ、Ｗは下着３０のクロッチ部分より外側に出して下着３０の外側に貼着して使用されるものであるので、従来の吸収性物品５０は、図１６(A)に示されるように、ウイング状フラップの形成位置に対応して、ある程度決まった位置でしかショーツに固定することができなかった。すなわち、同図(B)に示されるように、装着者の経血量の程度や、昼間・就寝時などの使用状況、又はショーツの形状や体型などに応じて吸収性物品の下着３０への固定位置を変えようとすると（図示例では前側に移動すると）、ウイング状フラップＷ、Ｗを下着３０のクロッチ部分を巻き込んで固定させることができず、使用中の位置ズレやヨレ、さらにこれに伴う経血等の漏れや違和感などが生じていた。
【０００８】
一方、前記ヒップホールド用フラップＨＦは、就寝時や経血量が多いときなどにおいては後漏れを効果的に防止できる点で有効であるが、昼間や経血量の少ないときなどにおいてはムレやゴワ付き感などの原因となっていた。
【０００９】
そこで本発明の主たる課題は、１つの吸収性物品で、種々の使用条件に合わせて下着への固定位置やヒップホールド用フラップの有無を任意に設定できるようにすることにある。
【課題を解決するための手段】
【００１０】
前記課題を解決するために請求項１に係る本発明として、透液性表面シートと裏面シートとの間に吸収体が介在された本体部分の両側部に、左右一対で配置されたウイング状フラップが、本体部分の長手方向に沿って少なくとも３組以上配置されるとともに、これらウイング状フラップの内、少なくとも最後部に位置する左右一対のウイング状フラップには吸収体が介在されたヒップホールド用ウイング状フラップとされ、かつ前記本体部分の長手方向に隣接する各ウイング状フラップ間は、ミシン目によって分割可能とされており、
使用前の製品状態で、各ウイング状フラップは、基端部で前記裏面シート側に折り畳まれるとともに、この折り畳まれた内の先端側部分がさらに反対側に折り返され、かつこれら各折り畳み部分が仮止めされることにより前記本体部分に固定されることにより、前記ウイング状フラップのすべてが裏面シート側に折り畳まれているとともに、前記折り畳み部分の最外面となる裏面シート部分にズレ止め粘着剤層が形成されており、
使用時に下着への固定位置に応じて、適合する位置の任意の前記ウイング状フラップをミシン目から引き裂いて分割して拡げ、下着のクロッチ部分に巻き込ませて固定可能とされ、前記ヒップホールド用ウイング状フラップをミシン目から引き裂いて分割して拡げ、下着に固定可能とされていることを特徴とする吸収性物品が提供される。
【００１１】
上記請求項１記載の発明では、前記本体部分の両側部に、左右一対で配置されたウイング状フラップが、本体部分の長手方向に沿って少なくとも３組以上配置される。使用前の製品状態で、前記ウイング状フラップのすべてが裏面シート側に折り畳まれているため、ウイング状フラップ無しの状態で使用できる他、吸収性物品の下着への固定位置に応じて、適合する位置のウイング状フラップを下着のクロッチ部分に巻き込ませて固定することができ、１つの吸収性物品で、種々の使用条件に合わせて下着への固定位置が任意に設定できるようになっている。
【００１２】
さらに、前記のように配置されたウイング状フラップの内、少なくとも最後部に位置する左右一対のウイング状フラップには吸収体が介在されたヒップホールド用ウイング状フラップとされ、使用前の製品状態で、前記ウイング状フラップのすべてが裏面シート側に折り畳まれているため、ヒップホールド用ウイング状フラップ無しの状態で使用できる他、ヒップホールド用ウイング状フラップを任意に拡げて使用することができ、１つの吸収性物品で種々の使用条件に合わせてヒップホールド用フラップの有無が任意に設定できるようになっている。
【００１３】
また、上記請求項１記載の発明では、前記本体部分の長手方向に隣接する各ウイング状フラップ間を、ミシン目によって分割可能とすることにより、適合する部分のウイング状フラップのみを展開できるようになっている。
【００１４】
さらに、上記請求項１記載の発明は、使用前の製品状態におけるウイング状フラップの折り畳み状態を規定したものであり、基端部で裏面シート側に折り畳まれるとともに、この折り畳まれた内の先端側部分がさらに反対側に折り返され、かつこれら各折り畳み部分が仮止めされることにより前記本体部分に固定されている。そして、前記ウイング状フラップには、前記折り畳み部分の最外面となる裏面シート部分にズレ止め粘着剤層が形成されている。このため、拡げて使用しないウイング状フラップは、吸収性物品の本体部分に固定されるとともに折り畳み部分の最外面に形成されたズレ止め粘着剤層によって実質的に本体部分にズレ止め粘着剤層を形成し、一方前記仮止めを解除して拡げて使用するウイング状フラップは、その先端部分の裏面シート側の面に形成されるズレ止め粘着剤層によって下着に固定できるようになっている。
【００１５】
請求項２に係る本発明として、前記ウイング状フラップのうち、最後部に位置する左右一対のウイング状フラップは、他のウイング状フラップよりも大きく形成されている請求項１記載の吸収性物品が提供される。
【００１６】
上記請求項２記載の本発明では、前記ウイング状フラップのうち、最後部に位置する左右一対のウイング状フラップを他のウイング状フラップよりも大きく形成することにより、このウイング状フラップをヒップホールド用として利用でき、後漏れが確実に防止できるようになっている。
【００１７】
請求項３に係る本発明として、前記本体部分は、全長に亘って略同幅で形成されている請求項１〜２いずれかに記載の吸収性物品が提供される。
【００１８】
上記請求項３記載の発明では、前記本体部分を、全長に亘って略同幅に形成することにより、下着への固定位置を任意に変化させても、本体部分が下着からはみ出したりすることなく、確実に下着に固定できるようになっている。
【００１９】
請求項４に係る本発明として、前記ウイング状フラップの基端部には、本体部分の長手方向に沿ってエンボス線が施してある請求項１〜３いずれかに記載の吸収性物品が提供される。
【００２０】
上記請求項４記載の発明では、前記ウイング状フラップの基端部に、本体部分の長手方向に沿ってエンボス線を施すことにより、折り返しを容易にしている。
【発明の効果】
【００２１】
以上詳説のとおり本発明によれば、１つの吸収性物品で、種々の使用条件に合わせて下着への固定位置やヒップホールド用フラップの有無を任意に設定できるようになる。
【発明を実施するための最良の形態】
【００２２】
以下、本発明の実施の形態について図面を参照しながら詳述する。
【００２３】
図１は本発明に係る生理用ナプキン１の一部破断展開図、図２はそのII−II線矢視図、図３は図１のIII−III線矢視図である。
【００２４】
前記生理用ナプキン１は、ポリエチレンシート、ポリプロピレンシートなどからなる裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布６，６とから構成されている。前記吸収体４の周囲において、その上下端縁部では、前記裏面シート２と透液性表面シート３との外縁部がホットメルトなどの接着剤やヒートシール等の接着手段によって接合され、またその両側縁部では吸収体４よりも側方に延出している前記裏面シート２と前記サイド不織布６とがホットメルトなどの接着剤やヒートシール等の接着手段によって接合されている。
【００２５】
特に、本発明に係る生理用ナプキン１では、前記表面シート３と裏面シート２との間に吸収体４が介在された本体部分の両側部に、左右一対で配置されたウイング状フラップＷ、Ｗが、本体部分の長手方向に沿って少なくとも３組以上、図示例では最前部のウイング状フラップＷ１、Ｗ１から順に最後部のウイング状フラップＷ４、Ｗ４まで４組配置されている。また図示例では、これらウイング状フラップＷ、Ｗ…の内、前側３組のウイング状フラップＷ１〜Ｗ３は、下着のクロッチ部分を巻き込むように固定するためのウイング状フラップとされ、最後部に位置する左右一対のウイング状フラップＷ４、Ｗ４は、クレープ紙５Ａに囲繞されたフラップ用吸収体４Ａ、４Ａが介在されたヒップホール用ウイング状フラップＨＦ、ＨＦとされている。なお、前記フラップ用吸収体４Ａは、他のウイング状フラップＷ１〜Ｗ３にも任意に介在させることができる。
【００２６】
前記本体部分の長手方向に隣接する各ウイング状フラップＷ、Ｗ間は、図１に示されるように切込み線２０によって予め分割されているか、図９に示されるようにミシン目２１によって分割可能とされているか、又は図１２に示されるように切込み線２０によって予め分割された部分とミシン目２１によって分割可能とされた部分とが組み合わされたものとされている。
【００２７】
以下、さらに前記生理用ナプキン１の構造について詳述すると、
前記裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２８】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法、エアスルー法は嵩高でソフトである点で優れている。
【００２９】
前記裏面シート２と透液性表面シート３との間に介在される吸収体４及びウイング状フラップＷの裏面シート２とサイド不織布６との間に介在されるフラップ用吸収体４Ａは、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００３０】
一方、本生理用ナプキン１の表面がわ両側部にはそれぞれ、長手方向に沿ってかつナプキン１のほぼ全長に亘ってサイド不織布６，６が設けられ、このサイド不織布６，６の一部が側方に延在されるとともに、同じく側方に延在された裏面シート２の一部とにより、外方に延在するウイング状フラップＷ、Ｗ…が形成されている。
【００３１】
前記サイド不織布６は、各ウイング状フラップＷの機能の点から、各ウイング状フラップＷごとに撥水処理不織布または親水処理不織布を使用することができる。たとえば、下着のクロッチ部分を巻き込んで固定するためのウイング状フラップＷ、図１に示される例では前側３組のウイング状フラップＷ１〜Ｗ３は、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、ヒップホール用ウイング状フラップＨＦとされるウイング状フラップＷ、図１に示される例では最後部に位置する左右一対のウイング状フラップＷ４、Ｗ４は、サイド不織布６における経血等の吸収性が重視され、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。なお、前記サイド不織布６は、各ウイング状フラップＷの機能ごとに異ならせなくても、すべてのウイング状フラップＷに対して同一の不織布素材とすることもできる。
【００３２】
図１に示されるように、前記透液性表面シート３と裏面シート２との間に吸収体４が介在された本体部分の非肌当接面には、下着に対する固定のために適宜の塗布パターンによって１又は複数条の、図示例では生理用ナプキン１の中央長手方向に１条の本体ズレ止め粘着剤層９が形成されている。また、前記ウイング状フラップＷ、Ｗ…の裏面シート２側の面には、ウイングズレ止め粘着剤層１０、１０…が形成されている。
【００３３】
前記ズレ止め粘着剤層９，１０を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００３４】
前記ウイング状フラップＷ、Ｗ…のすべては、図４及び図５に示されるように、使用前の製品状態で、基端部の折返し線ＲＬから裏面シート２側に折り畳まれている。詳細には、使用前の製品状態で、各ウイング状フラップＷ、Ｗ…は、基端部で裏面シート２側に折り畳まれるとともに、この折り畳まれた内の先端側部分がさらに反対側に折り返され、かつこれら各折り畳み部分が仮止めされることにより前記本体部分に固定されている。前記仮止めは、前記基端部から折り畳んだ部分が、裏面シート２にホットメルトなどの接着剤や超音波などの接着手段によって剥離容易に固定され、さらに前記先端側部分で折り返した部分が、前記基端部から折り畳んだ部分のウイング状フラップＷにホットメルトなどの接着剤や超音波などの接着手段によって剥離容易に固定されるものである。そして、この折り畳み部分の最外面となる裏面シート２の部分に前記ウイングズレ止め粘着剤層１０、１０…が形成されている。これにより、使用前のウイング状フラップＷ、Ｗは、生理用ナプキン１の本体部分に固定されるとともに、折り返し部分の外面に形成されたウイングズレ止め粘着剤層１０、１０…によって実質的に本体部分にズレ止め粘着剤層を形成している。このため、本体部分のズレ止め粘着剤層９は、図示例のように生理用ナプキン１の中央長手方向に１条形成すれば足り、ズレ止め粘着剤の塗布効率が向上する。このような本体部分のズレ止め粘着剤層９の塗布幅を確保するためには、ウイング状フラップＷの折返し線ＲＬより外側への延在長さは、その延在長さの１／２が本体部分幅の１／３以下となるようにすることが好ましい。
【００３５】
以上のように構成された本生理用ナプキン１は、下着３０への固定に際し、図６に示されるように、生理用ナプキン１を局所にあてがい、任意の左右一対のウイング状フラップＷ、Ｗ、図示例では最前部に位置するウイング状フラップＷ１、Ｗ１の仮止め状態を解除して下着３０より外に拡げ、ウイング状フラップＷ１基端の折り返し線ＲＬ、ＲＬ（図１参照）にて折返し、下着３０のクロッチ部分を巻き込むようにしながら下着の股間部外面に貼着して固定する。また、装着者の経血量の程度や、昼間・就寝時などの使用状況、又は下着の形状や体型などに応じて、生理用ナプキン１の固定位置を、図７に示される例では前寄りに変えたい場合には、第２列目に位置する左右一対のウイング状フラップＷ２、Ｗ２を拡げて下着３０に貼着して固定する。このように、本発明に係る生理用ナプキン１は、１つの生理用ナプキンで、種々の使用条件に合わせて下着３０への固定位置を任意に設定できるようになっている。このため、本発明に係る生理用ナプキン１の本体部分は、全長に亘って略同幅で形成されるようにすることが好ましい。
【００３６】
このとき、拡げて使用しないウイング状フラップＷ、Ｗ…は、前述の通り本体部分に折り畳まれて、ウイングズレ止め粘着剤層１０、１０…が実質的に本体部分のズレ止め粘着剤層を形成しているため、本体ズレ止め粘着剤層９とともに本体部分を下着３０に固定するズレ止め粘着剤層として使用することができるようになっている。
【００３７】
また、図８に示されるように、ウイング状フラップＷ４、Ｗ４には、それぞれウイング用吸収体４Ａ、４Ａが介在されているため、このウイング状フラップＷ４、Ｗ４を拡げてヒップホールド用フラップＨＦ、ＨＦが形成でき、ヒップホールド用フラップＨＦの有無を任意に設定できるようになっている。なお、前記ヒップホール用ウイング状フラップＨＦとされるウイング状フラップＷの表面側のシート（サイド不織布６）には、肌へのあたりを柔らかくするため、エンボス加工や波加工などを施すことができる。
【００３８】
本生理用ナプキン１は、以下に述べるように種々の形態に変更することが可能である。図９に示される生理用ナプキン１では、各ウイング状フラップＷ、Ｗが、ミシン目２１によって分割可能とされている。使用前の製品状態では、このミシン目２１、２１…の部分で、隣接するウイング状フラップＷ、Ｗ同士が接合され、使用時に使用者が任意のウイング状フラップＷをミシン目２１から引き裂いて分割することができる。
【００３９】
図１０に示される生理用ナプキン１では、前側に一対のウイング状フラップＷ１、Ｗ１が形成されるとともに、その後側に離間を開けてミシン目２１によって分割可能とされた２列のウイング状フラップＷ２、Ｗ３が形成され、前記２列のウイング状フラップＷ２、Ｗ３のそれぞれにウイング用吸収体４Ａ、４Ａ…が介在されている。前側の一対のウイング状フラップＷ１、Ｗ１は、下着３０のクロッチ部分に巻き込んで固定するためのものであり、後側の２列のウイング状フラップＷ２、Ｗ３は、ヒップホールド用フラップＨＦ、ＨＦ…として使用するためのものである。
【００４０】
図１１に示される生理用ナプキン１では、ミシン目２１によって分割可能とされた複数のウイング状フラップＷ１〜Ｗ４が形成されるとともに、最後部に位置する左右一対のウイング状フラップＷ４、Ｗ４が他のウイング状フラップＷ１〜Ｗ３よりも大きく形成され、このウイング状フラップＷ４、Ｗ４には、ウイング用吸収体４Ａ、４Ａがそれぞれ介在されている。比較的大型のウイング状フラップＷ４、Ｗ４は、ヒップホールド用フラップＨＦ、ＨＦとして使用することができ、確実に後漏れが防止できるようにしている。
【００４１】
図１２に示される生理用ナプキン１では、長手方向に隣接する前側３列のウイング状フラップＷ１〜Ｗ３の間が、切込み線２０によって予め分割され、後側２列のウイング状フラップＷ３、Ｗ４の間がミシン目２１によって分割可能とされるとともに、後側２列のウイング状フラップＷ３、Ｗ４の基端部には、本体部分の長手方向に沿って各３条のエンボス線２２、２２…が施されている。すなわち前記エンボス線２２を施すことにより、ウイング状フラップＷを折り返し易くなっている。
【００４２】
〔他の形態例〕
(1)上記形態例では、生理用ナプキン１の表面がわ両側部にサイド不織布６、６を設けるようにしたが、このサイド不織布６、６は無くてもよい。この場合、ウイング状フラップＷ、Ｗ…は、表面シート３の一部を側方に延在させるとともに、同じく側方に延在させた裏面シート２との一部によって形成するようにする。
(2)上記形態例では、生理用ナプキン１の本体部分の構成部材から延在してウイング状フラップＷ…を構成していたが、ウイング状フラップＷ…を別部材で構成し、生理用ナプキン１の本体部分の両側に接合するようにしてもよい。
(3)上記形態例では、フラップ用吸収体４Ａは、本体部分に介在する吸収体４と同じ素材で構成していたが、これに代えてエアレイド不織布やコットンシートなど吸水性を有する素材で構成してもよい。前記吸水性を有する素材は、装着時の違和感が生じないように２００ｇ／ｍ２以下、好ましくは８０ｇ／ｍ２以下の目付量とする。これにより、吸収性能を保持するとともに、ウイング状フラップＷの折り畳みを容易にすることができる。
【図面の簡単な説明】
【００４３】
【図１】本発明に係る生理用ナプキン１の展開図である。
【図２】そのII−II線矢視図である。
【図３】図１のIII−III線矢視図である。
【図４】使用前の状態を示す生理用ナプキン１の裏面図である。
【図５】そのＶ−Ｖ線矢視図である。
【図６】下着３０への固定要領を示す下着３０の展開図（その１）である。
【図７】下着３０への固定要領を示す下着３０の展開図（その２）である。
【図８】下着３０への固定要領を示す下着３０の展開図（その３）である。
【図９】他の形態例（その１）を示す生理用ナプキン１の展開図である。
【図１０】他の形態例（その２）を示す生理用ナプキン１の展開図である。
【図１１】他の形態例（その３）を示す生理用ナプキン１の展開図である。
【図１２】他の形態例（その４）を示す生理用ナプキン１の展開図である。
【図１３】従来の吸収性物品５０の展開図である。
【図１４】そのＸIV−ＸIV線矢視図である。
【図１５】従来の吸収性物品５０の装着状態を示す下着３０の斜視図である。
【図１６】従来の吸収性物品５０の下着３０への固定要領を示す下着３０の展開図である。
【図１７】従来の吸収性物品６０を示す展開図である。
【図１８】従来の吸収性物品６１を示す展開図である。
【符号の説明】
【００４４】
１…生理用ナプキン、２…透液性表面シート、３…不透液性裏面シート、４…吸収体、４Ａ…フラップ用吸収体、５…クレープ紙、６…サイド不織布、９…ズレ止め粘着剤層、１０…ウイングズレ止め粘着剤層、ＨＦ…ヒップホールド用フラップ、ＲＬ…折返し線、Ｗ…ウイング状フラップ
【図１】
0005242211.tif 000002
【図２】
0005242211.tif 000003
【図３】
0005242211.tif 000004
【図４】
0005242211.tif 000005
【図５】
0005242211.tif 000006
【図６】
0005242211.tif 000007
【図７】
0005242211.tif 000008
【図８】
0005242211.tif 000009
【図９】
0005242211.tif 000010
【図１０】
0005242211.tif 000011
【図１１】
0005242211.tif 000012
【図１２】
0005242211.tif 000013
【図１３】
0005242211.tif 000014
【図１４】
0005242211.tif 000015
【図１５】
0005242211.tif 000016
【図１６】
0005242211.tif 000017
【図１７】
0005242211.tif 000018
【図１８】
0005242211.tif 000019